(57)【特許請求の範囲】
【請求項１】
薄い膜より成る袋体であって、該薄膜の内側の一方の面に単数または複数の凹条部を形成するとともに前記内側の他方の面には前記凹条部と嵌合する凸条部を形成したファスナーを設けた袋体のファスナー閉鎖用閉じ具において、
一方を下部把持部とし、他方を上把持部として成り、前記下把持部には孔を穿設した突起を設け、前記上把持部には下把持部の孔に嵌まる突起を設け、これら下把持部と上把持部との中央部付近Wを回転可能な弾性のある連結部で連結し、前記下部把持部または上部把持部内の中央部に璧部が設けられ該璧部の表面には、前記ファスナーの凹条部と凸条部とを嵌合させる凹凸を形成して成ることを特徴とする袋体のファスナー閉鎖用閉じ具。
【請求項２】
薄い膜より成る袋体であって、該薄膜の内側の一方の面に単数または複数の凹条部を形
成するとともに前記内側の他方の面には前記凹条部と嵌合する凸条部を形成したファスナ
ーを設けた袋体のファスナー閉鎖用閉じ具において、
一方を下部把持部とし、他方を上把持部として成り、前記下把持部には孔を穿設した突
起とばねを設け、前記上把持部には下把持部の孔に嵌まる突起を設け、これら下把持部と
上把持部とを回転可能な弾性のある連結部で連結し、前記下部把持部または上部把持部内
には前記ファスナーの凹条部と凸条部とを嵌合させる凹凸を形成して成ることを特徴とす
る袋体のファスナー閉鎖用閉じ具。
【請求項３】
前記下部把持部または上部把持部のいずれかの内側面には２つの突起の間または１つの
突起の傍らに、ばねを設けたことを特徴とする請求項１または請求項２の袋体のファスナ
ー閉鎖用閉じ具。
【請求項４】
前記把持部の内側の一方の面に形成した単数または複数の凹部と、前記内側の他方の面
には前記凹部に対応して形成した凸部と、を設けたことを特徴とする請求項１乃至請求項３のいずれかに記載の袋体のファスナー閉鎖用閉じ具。
【請求項５】
下部把持部と上部把持部とを回転可能に弾性体で連結して設け、下部把持部には平坦面と孔を穿設した突起とばねとを設け、上部把持部には前記平坦面と接触する凹凸と前記孔に嵌まる突起を設けたことを特徴とする請求項１乃至請求項３のいずれかに記載の袋体のファスナー閉鎖用閉じ具。  
【発明の詳細な説明】
【技術分野】
【０００１】
本発明は、薄い合成樹脂等製の袋体に取り付けたファスナーを確実に閉鎖することので
きるファスナー閉鎖用閉じ具に関する。
【背景技術】
【０００２】
一般に薄いファスナーを設けた袋体には、あられや豆類のおやつ或いはペットフード等
の粒状物の他に病院通いする患者等が使用する薬品等を収納するもの、或いは品質保持の
ため水分を嫌うものを入れるファスナー付きの合成樹脂製の袋体が使用される。この場合
、図１１に示すように、ファスナー２は、袋体３の開口部の近傍の一方の内壁に設けられ
た凸条係合部と、ほぼ同じ位置に設けられ該凸条係合部を嵌め入れる凹条溝係合部と、か
らなり、ファスナー２を押して閉じる。なお、場合によってはファスナーの凹条、凸条が
２条組、３条組等の複数条のものもある。
【０００３】
ファスナーの閉じる道具として上記２〜３条の凹、凸が用いられる場合もある。この場
合確実にファスナーを閉じることができ、スムースにスライドさせることができ、製造も
比較的簡単なファスナー用スライダー（ファスナー用閉じ具）が提案されている。例えば
、ファスナー用スライダー（１０）は、図１２に示すように、連結部（１８）で連結され
て略Ｕ字状に形成された把持部（１４、１６）で形成される。そして把持部（１４、１６
）の内側に、互いに対向するようにして曲面を有する突起部（２４、２６）を形成し、こ
れら突起部（２４、２６）が対向することにより、突起部（２４、２６）から離れるにし
たがって幅が広くなる隙間が形成される。そして、凹条部と凸条部とからなる２列のファ
スナーの間に突起部（２４、２６）が配置されるようにして把持部（１４、１６）をファ
スナーに沿ってスライドさせることにより、凹条部および凸条部に斜め方向の力を与えな
がらファスナーを閉じるものである（特許文献１、カッコ内は従来の引用特許文献１の図
１２で使用されている符号）。
【先行技術文献】
【特許文献】
【０００４】
【特許文献１】特開２００４−１３１０９８号公報
【発明の概要】
【発明が解決しようとする課題】
【０００５】
ファスナーは通常、袋体の内容物に収納した物に異物が入ったり、水分がかかッたり、
内部に入るのを防止する等収納物の品質保持のめに用いられる。中には一部分を開け、収
納物を少し出し、出した後も再度しっかり密封するようなものもある。ファスナーは、凹
条部と凸条部とが確実に嵌合されることが望ましいが、一部の凹凸が外れた状態のままの
ものも見受けられる。中には身体不自由な人や力を加えられない老人もおり、収納物や薬
品の品質保持の見地から内容物を入れたままファスナーの裏から該ファスナーを押さえる
こともある。そして、袋体を開口するときには手で開き、開口部を閉じる場合のみスライ
ダを使用することもある。また、上記するようにファスナーには１条だけでなく，２条、
３条等複数の条を平行に設けたものもある。特に、複数の条を設けたものは内容物（収納
物）の品質を保持したり、水分がかかるのを防止するためのものが多い。しかしながら、
中には一部の凹凸が外れた状態のままのものも見受けられる。さらにファスナーには凹部
と凸部とを押さえるためのものか、開閉用のスライダを用いることもあるが中には収納物
や薬品には病院の患者用に開閉用のスライダを閉じる場合にのみ用いるものもあるが、袋
体の開口部を閉じる閉じ具時のみ用いると一部が開いたままとなり品質上問題が起きるこ
ともある。
【０００６】
上記するファスナーを設けた袋体用のファスナー閉じ具（スライダ）は確実に凹条部と
凸条部を嵌合させる必要があり、嵌合状態が不安定では薬品等の内容物の品質保持のため
には好ましくない。或いはまた、病院に通う患者には老齢者や身体不自由な人々もおり、
確実にファスナーで薬の入った袋体を閉鎖するのが困難な人もいる。
【０００７】
本発明は上記する課題に対処するためになされたものであり、ファスナーが何条（複数
条）あっても袋体を確実にファスナーで閉じることができ収納した収納品の品質を維持す
ることが可能で、収納品を確実に封入することが可能で、開口するときに０簡単に開口す
ることができ、また、収納品に水分がかかるのを確実に防止し、老齢者や身体の不自由
な人々であっても医薬品等の安定保存を図ることのできるファスナー閉鎖用閉じ具を提供
することを目的とする。
【課題を解決するための手段】
【０００８】
本発明は上記する課題を解決するために、請求項１に記載の発明は、袋体のファスナー
閉鎖用閉じ具（１）が、薄い膜より成る袋体（３）であって、該薄膜の内側の一方の面に単数または複数の凹条部を形成するとともに前記内側の他方の面には前記凹条部と嵌合する凸条部を形成したファスナーを設けた袋体のファスナー閉鎖用閉じ具（１）であって、
一方を下部把持部（４a）とし、他方を上把持部（４ｂ）として成り、前記下把持部（４a）には孔（４ｄ）を穿設した突起（４ｃ）を設け、前記上把持部（４ｂ）には下把持部の孔（４ｄ）に嵌まる突起（４ｆ）を設け、これら下把持部（４a）と上把持部（４ｂ）との中央部付近Wを回転可能な弾性のある連結部で連結し、前記下部把持部（４a）または上部把持部（４ｂ）内の中央部付近Wに璧部（４ｇ）が設けられ該璧部（４ｇ）の表面には、前記ファスナーの凹条部と凸条部とを嵌合させる凹凸を形成して成ることを特徴とするものである。
【０００９】
また、請求項２に記載の発明は、袋体のファスナー閉鎖用閉じ具（１）が、薄い膜より成り、該薄膜の内側の一方の面に単数または複数の凹条部を形成するとともに前記内側の他方の面には前記凹条部と嵌合する凸条部を形成したファスナーを設けた袋体のファスナー閉鎖用閉じ具であって、一方を下部把持部（４a）とし、他方を上把持部（４ｂ）として成り、前記下把持部（４a）には孔（４ｄ）を穿設した突起（４ｄ）とばね（５）を設け、前記上把持部（４ｂ）には下把持部の孔（４ｄ）に嵌まる突起（４ｆ）を設け、これら下把持部と上把持部とを回転可能な弾性のある連結部で連結し、前記下部把持部（４a）または上部把持部（４ｂ）内には前記ファスナーの凹条部と凸条部とを嵌合させる凹凸を形成して成ることを特徴とするものである
【００１０】
また、請求項３に記載の発明は、前記下部把持部（４a）または上部把持部（４ｂ）のいずれかの内側面には２つの突起の間または１つの突起の傍らに、ばね（５）を設けたことを特徴とするものである。
【００１１】
また、請求項４に記載の発明は、袋体のファスナー閉鎖用閉じ具（１）が、前記下部把持部（４a）または上部把持部（４ｂ）の内側の一方の面に形成した単数または複数の凹  部と、前記内側の他方の面には前記凹部に対応して形成した凸部と、を設けたことを特徴とするものである。
【００１２】
また、請求項５に記載の発明は、袋体のファスナー閉鎖用閉じ具（！）が、下部把持部（４a）と上部把持部（４ｂ）とを回転可能に弾性体で連結して設け、下部把持部（４a）には平坦面と孔（４ｄ）を穿設した突起（４ｃ）とばね（５）とを設け、上部把持部には前記平坦面と接触する凹凸と前記孔（４ｄ）に嵌まる突起（４ｆ）を設けたことを特徴とするものである。
【発明の効果】
【００１３】
ファスナー閉鎖用閉じ具を上記する手段とすると、内容物を収納した袋体を扱う者は、
慎重に内容物を入れ、かなり長期間の安定保存をすることができる。特に、物を収納する
ときには、ファスナーが一部外れていると即品質に影響するが、ファスナーの凹条と凸条
とが確実に嵌まっているか否かは目視では簡単に判別しないことが多かった。また、袋体
が透明で且つファスナー部分も透明であったり、透明に近い場合その判別は困難であるが
それらに関係なく袋体を閉じることができる。また、ファスナー部分が複数条設けられ、
そのすべての凹条と凸条とが確実に嵌合されているか否かも判断しにくいものである。し
かし、そのすべての凹条と凸条とが確実に嵌合することができるので、袋体内に収納した
物品や薬等の収納物は品質が安定し、その分品質に対する信頼性も向上する。したがって
従来のように、手で凹部と凸部とを手で嵌合しても確実に内容物内容部の品質等を維持す
ることガできる。さらに、袋体に形成れたファスナーが単独であっても複数であっても、
透明であっても確実に凹条と凸条とを嵌合させることができる。また、老人や身体不自由
な人にも確実にファスナーを閉じることができる。
【図面の簡単な説明】
【００１４】
【図１】本願発明のファスナー閉鎖用閉じ具でファスナーを付けた袋体内に薬品等の物を入れる前の開口部を開けた状態の斜視図である。
【図２】本願発明のファスナー閉鎖用閉じ具でファスナーを付けた袋体内に薬品等の物  入れる前の開口部を閉鎖した状態の斜視図である。
【図３】図１のＸーＸ矢視断面図である。
【図４】図４（Ａ）は本発明の閉じ具のばねを取り付け伸ばした状態の平面図であり、図４（Ｂ）は側面図であり、図４（Ｃ）は底面図である。
【図５】図５（Ａ）は、下部把持部材と蓋部把持部材を一定の角度をもって重ねた状態のスライダであり、図５（Ｂ）は、底部把持部材と上部把持部材を重ねた状態の平面図であり、図５（Ｃ）は、スライダで底部把持部材と底部把持部材で袋体のファスナー部分を挟持した状態の側面図であり、図５（Ｄ）は纏綿図である。
【図６】本発明のファスナー閉鎖用閉じ具の全体斜視図である。
【図７】図７は図５（Ａ）とほぼ同じ図である。
【図８】図８は、図４（Ｂ）と同じ図である。
【図９】図９は図８のＱ部拡大断面図である。
【図１０】図１０は図７のＰ部拡大断面図である。
【図１１】袋体に設けられるファスナー部分の断面図である。
【図１２】ファスナーを閉じる従来のスライダの例図である。
【発明を実施するための形態】
【００１５】
図１は、本願発明のファスナー閉鎖用閉じ具１（スライダ）でファスナー２を付けた袋
体３の内部に薬品等の物を入れる前の開口部３ａを開けた状態の斜視図であり、図２は袋
体３に薬品等を収納した後閉じ具１（スライダ）をスライドさせて薬物等を収納して密封
し該閉じ具１（スライダ）で袋体３を閉じた状態の斜視図である。  図３は図１のＸーＸ
矢視断面図である。また、図４は本願発明の閉じ具１の構成を示す図であって、図４（Ａ
）は本発明の閉じ具のばねを取り付け伸ばした状態の平面図であり、図４（Ｂ）は側面図
であり、図４（Ｃ）は底面図である。
【００１６】
図４に示すように、本発明の閉じ具１は、上下の把持部（４ａ、４ｂ）から成り、中央
部で折り曲げた状態で使用される。下部把持部４ａは孔４ｄ、４ｄの穿設された突起部４
ｃ、４ｃと、これら突起部４ｃ、４ｃの間に設けられたばね５とより成り、上部把持部４
ｂには前記孔４ｄ、４ｄに嵌まる薄い突起４ｆ、４ｆと、上端部にファスナー２の凹条と
凸条とを嵌合させる凹凸を設けた壁部４ｇとで構成される。また、下部把持部４ａと上部
把持部４ｂとのほぼ同一の寸法の中央部付近Ｗは弾性を持たせて折れずに曲折可能として
ある（例えば弾性のある合成樹脂）。図４（Ｂ）に示すように、孔４ｄ、４ｄに嵌まる薄
い突起４ｆ、４ｆは、下部把持部４ａの突起４ｄ、４ｄの孔４ｃ、４ｃに嵌めたとき、後
述するように、ばね５の付勢力で少し浮き上がるようにしてある（図１０参照）。なお、
本発明の閉じ具１は図４（Ｃ）に示すように、紛失しないよう底面に薄い磁石（プラスチ
ック製可）７が貼付されており、鉄製の机や文具類にくっつくようにしてある。この磁石
７は閉じ具１を紛失しないよう鉄材部分にくっつける。
【００１７】
上記するように、上把持部４ａには、中央部付近Ｗを折り曲げたとき下部把持部４ａの
端部に取り付けたばね５から上部把持部４ｂには若干付勢力がかかるようにしてある（図
５（Ａ）参照）。そして、下部把持部４ａと上部把持部４ｂの間を押さえ、間に挟んだ袋
体に荷重を掛けると、図４（Ｃ）に示すように、袋体３に設けた凹条と凸条とが嵌まるの
でそのまま把持部、すなわち閉じ具１をスライドさせると袋体３のファスナー２はしっか
りと凹条と凸条とが嵌まり服や体３は密封されることになる。
【００１８】
図５（Ａ）は、底部把持部材４ａと蓋部把持部材４ｂを一定の角度をもって重ねた状態
のスライダであり、図５（Ｂ）は、下部把持部４ａと上部把持部４ｂを重ねた状態の平面
図であり、図５（Ｃ）は、スライダで底部把持部材４ａと底部把持部材４ａで袋体のファ
スナー部分を挟持した状態の側面図であり、図５（Ｄ）は底面図である。
実際に本発明のファスナー用閉じ具１（スライダ１）を使用する際には図５（Ａ）の状
態で凹凸条部にファスナー２が掛かるように挟持し、図５（Ｃ）に示すように下部把持部
４ａと上部把持部４ｂで挟むように袋体のファスナー２を押さえてスライドさせる。こう
すると、確実にファスナー２の凹条部と凸条部とを嵌め合わせることができる。
【００１９】
図６は本発明のスライダの全体斜視図である。この図に示すように、下部把持部材４ａ
には孔４ｄ、４ｄの開いた（貫通した）突起４ｃ、４ｃが設けられている。また、上部把
持部材４ｂには突起４ｆ、４ｆが形成されているが、これらの突起４ｆ、４ｆは、下部把
持部材４ａに設けられた突起４ｃ、４ｃの孔４ｄ、４ｄに嵌め込まれる。さらに、下部把
持部材４ａの突起４ｄと突起４ｄとの間にはばね５が配置されている。なお、該下部把持
部材４ａの内部は２本の壁部４ｅ、４ｅを残し、また、上部把持部４ｂの内部は表面に凹
凸を形成した壁部４ｇを残して軽くするため削除してある。
【００２０】
また、図７は４３（Ｂ）とほぼ同じ図であり、図８は図５（Ａ）とほぼ同じ図である。
図９は図７のＱ部拡大図であり、図１０は図８のＰ部拡大図である。ばね５は下部把持部
４ａにも受けられるが、上部把持部４ｂを曲げて乗せたとき凹部と凸部のある壁部の端で
支えるようにしてある。このような構成によりスライダ１はファスナー２を閉鎖するとき
若干のばね力が掛かり感触が良くなる。本発明のファスナー用閉じ具１は実際には図５（
Ａ）或いは図８の状態で使用するが、この場合、図５（Ｃ）のように袋体３のファスナー
２を挟持したときファスナー２の凹部と凸部とが嵌合される。そしてこの凹部と凸部とが
嵌合された状態でスライダ１をスライドさせると袋体のファスナー２は密閉された状態と
なる。そして、またばね５の付勢力により若干のばね力が作用した状態で凹部と凸部とが
嵌合される。
【００２１】
また、下部把持部４ａに上部把持部４ｂを曲げて乗せたとき、突起４ｆが下把持部４ａ
の突起４ｃの孔４ｄに入りカギ部４ｈが突起４ｃの上面に当接し簡単に外れないようにな
っている。
【００２２】
上記するように、上部把持部４ｂの中央部の壁部４ｇの表面にはファスナー２の凹条と
凸条を嵌合させるための凹凸が形成されており、下部把持部４ａの表面には前記上部把持
部４ｂの内面の突起４ｆ、４ｆと嵌合する孔４ｄ、４ｄが設けられている。そしてこの場
合、使用時に上部把持部４ｂを半回転させてばね５の力がかかる状態でファスナー５を押
さえることになる。さらに、下部把持部材４ａの内側内面には、上部把持部４ｂに付勢力
がかかるようばね５が設けてある。すなわち、下部把持部材４ａの内面に設けたばねの拡
大図１０に示すように、上部把持部４ｂを折り曲げたとき内面が当接して該上部把持部４
ｂにばね力が付勢した状態となる。
【００２３】
なお、本発明のスライダの中央の壁部４ｇの表面は凹凸の嵌合が確実となるよう平坦面
となっている。しかし底部把持部材４ａの中央の壁部４ｅの表面は凹凸であっても良い。
【産業上の利用可能性】
【００２４】
本発明のファスナー閉鎖用閉じ具は、以上説明したように、内側の一方の面に複数の凹
凸条を形成し、他方の面には孔４ｄ、４ｄを穿設した突起４ｃ、４ｃを設けた上部把持部
４ｂと、前記孔４ｄに嵌合する突起４ｆ、４ｆを設け内側の一方の面に平坦面を形成した
下部把持部４ａと、下部把持部に設けたばね５と、で構成されているので、確実にファス
ナーの凹部と凸部とを嵌合させ空気が漏れるのを防止することができる。したがって、本
願発明のファスナー用閉じ具は包装用具や品質維持に必要な袋体の製造、販売等に適用で
きる。
【符号の説明】
【００２５】
１    閉じ具
２    ファスナー
３    袋体
４    把持部
４ａ  下部把持部
４ｂ  上部把持部
４ｃ  突起
４ｄ  孔
４ｅ  壁部
４ｆ  突起
４ｇ  壁部
５    ばね
７    磁石
【図１】
0005240735.tif 000002
【図２】
0005240735.tif 000003
【図３】
0005240735.tif 000004
【図４】
0005240735.tif 000005
【図５】
0005240735.tif 000006
【図６】
0005240735.tif 000007
【図７】
0005240735.tif 000008
【図８】
0005240735.tif 000009
【図９】
0005240735.tif 000010
【図１０】
0005240735.tif 000011
【図１１】
0005240735.tif 000012
【図１２】
0005240735.tif 000013